(57)【特許請求の範囲】
【請求項１】
窓部を有する本体部と、
前記本体部内に配置される光源部と、
前記本体部内に配置され、前記光源部からの光を反射させて、反射させた光を前記窓部を介して前記本体部の外部に向けて照射する反射部と、
前記本体部内に配置され、前記本体部の外部から引き入れられる配線の一端が電気的に接続される端子台と、
を備え、
前記端子台は、前記反射部が前記本体部内に配置された状態で、前記本体部を前記窓部側から視た際に、前記窓部の領域内における前記反射部から外れた位置に配置されており、
前記光源部は、光源部側固定部を有する固定部材を介して前記本体部に固定されており、
前記反射部は、反射部側固定部を有する固定部材を介して前記本体部に固定されており、
前記光源部側固定部を有する固定部材と前記反射部側固定部を有する固定部材とが一体化しており、
一体化した前記光源部側固定部を有する固定部材および前記反射部側固定部を有する固定部材が、締結部材によって前記本体部に締結されていることを特徴とする照明装置。
【請求項２】
前記窓部は、長手方向を有する細長の貫通穴であり、
前記端子台は、前記長手方向の一方側における前記反射部から外れた位置に配置されていることを特徴とする請求項１に記載の照明装置。
【請求項３】
前記長手方向の他方側における前記反射部から外れた位置にも前記端子台が配置されており、
前記長手方向の一方側の端子台と前記長手方向の他方側の端子台とが接続用配線によって電気的に接続されていることを特徴とする請求項２に記載の照明装置。
【請求項４】
複数の照明装置を配線を介して電気的に接続する照明装置の結線構造であって、
複数の前記照明装置は、
窓部を有する本体部と、
前記本体部内に配置される光源部と、
前記本体部内に配置され、前記光源部からの光を反射させて、反射させた光を前記窓部を介して前記本体部の外部に向けて照射する反射部と、
前記本体部内に配置され、前記本体部の外部から引き入れられる配線の一端が電気的に接続される端子台と、
を備えており、
前記窓部は、長手方向を有する細長の貫通穴であり、
前記端子台は、前記反射部が前記本体部内に配置された状態で、前記本体部を前記窓部側から視た際に、前記窓部の領域内であって、前記長手方向の一方側における前記反射部から外れた位置に配置されている一方側の端子台と、前記窓部の領域内であって、前記長手方向の他方側における前記反射部から外れた位置に配置される他方側の端子台と、を備えており、
前記一方側の端子台と前記他方側の端子台とが接続用配線によって電気的に接続されており、
前記光源部は、光源部側固定部を有する固定部材を介して前記本体部に固定されており、
前記反射部は、反射部側固定部を有する固定部材を介して前記本体部に固定されており、
前記光源部側固定部を有する固定部材と前記反射部側固定部を有する固定部材とが一体化しており、
一体化した前記光源部側固定部を有する固定部材および前記反射部側固定部を有する固定部材が、締結部材によって前記本体部に締結されており、
複数の照明装置のうちの１つの照明装置における前記一方側の端子台と、複数の照明装置のうちの他の１つの照明装置における前記他方側の端子台とが、一本の前記配線によって電気的に接続されていることを特徴とする照明装置の結線構造。
【請求項５】
複数の照明装置のうちの１つの照明装置における前記他方側の端子台が、複数の照明装置のうちの他の１つの照明装置とは別の照明装置における前記一方側の端子台に、他の一本の配線によって電気的に接続されていることを特徴とする請求項４に記載の照明装置の結線構造。
【発明の詳細な説明】
【技術分野】
【０００１】
本開示は、照明装置および照明装置の結線構造に関する。
【背景技術】
【０００２】
従来、照明装置として、器具本体と、器具本体内に設置されたランプと、器具本体に取り付けられてランプからの光を反射させる反射板と、反射板により反射した光を透過させる透光パネルと、を備えるものが知られている（例えば、特許文献１参照）。
【０００３】
この特許文献１では、透光パネルが器具本体に開閉可能に取り付けられており、この透光パネルを開くことで、外部電源等に接続されたケーブルと安定器との結線作業を器具本体内で行えるようにしている。
【先行技術文献】
【特許文献】
【０００４】
【特許文献１】特開２００５−０７１８３３号公報
【発明の概要】
【発明が解決しようとする課題】
【０００５】
しかしながら、上記従来の技術では、安定器が反射板の裏側に設けられているため、ケーブルと安定器との結線作業を行う際には、反射板を器具本体から取り外した状態で行い、結線作業終了後に、再び反射板を器具本体に取り付ける必要があった。
【０００６】
このように、照明装置の設置場所等で反射板の取り外しや取り付けを行うと、反射板とランプとの位置ずれ等によって照明装置の照射精度が低下してしまうおそれがある。
【０００７】
そこで、本開示は、照射精度が低下してしまうのを抑制することのできる照明装置および照明装置の結線構造を得ることを目的とする。
【課題を解決するための手段】
【０００８】
本開示にかかる照明装置は、窓部を有する本体部と、前記本体部内に配置される光源部と、前記本体部内に配置され、前記光源部からの光を反射させて、反射させた光を前記窓部を介して前記本体部の外部に向けて照射する反射部と、を備えている。
【０００９】
また、照明装置は、前記本体部内に配置され、前記本体部の外部から引き入れられる配線の一端が電気的に接続される端子台を備えている。
【００１０】
そして、前記端子台は、前記反射部が前記本体部内に配置された状態で、前記本体部を前記窓部側から視た際に、前記窓部の領域内における前記反射部から外れた位置に配置されており、前記光源部は、光源部側固定部を有する固定部材を介して前記本体部に固定されており、前記反射部は、反射部側固定部を有する固定部材を介して前記本体部に固定されており、前記光源部側固定部を有する固定部材と前記反射部側固定部を有する固定部材とが一体化しており、一体化した前記光源部側固定部を有する固定部材および前記反射部側固定部を有する固定部材が、締結部材によって前記本体部に締結されている。
【００１１】
また、本開示にかかる照明装置の結線構造は、複数の照明装置を配線を介して電気的に接続するものである。
【００１２】
そして、複数の前記照明装置は、窓部を有する本体部と、前記本体部内に配置される光源部と、前記本体部内に配置され、前記光源部からの光を反射させて、反射させた光を前記窓部を介して前記本体部の外部に向けて照射する反射部と、を備えている。
【００１３】
さらに、複数の前記照明装置は、前記本体部内に配置され、前記本体部の外部から引き入れられる配線の一端が電気的に接続される端子台を備えている。
【００１４】
また、前記窓部は、長手方向を有する細長の貫通穴である。
【００１５】
そして、前記端子台は、前記反射部が前記本体部内に配置された状態で、前記本体部を前記窓部側から視た際に、前記窓部の領域内であって、前記長手方向の一方側における前記反射部から外れた位置に配置されている一方側の端子台を備えている。さらに、前記窓部の領域内であって、前記長手方向の他方側における前記反射部から外れた位置に配置される他方側の端子台を備えている。
【００１６】
また、前記一方側の端子台と前記他方側の端子台とが接続用配線によって電気的に接続されており、前記光源部は、光源部側固定部を有する固定部材を介して前記本体部に固定されており、前記反射部は、反射部側固定部を有する固定部材を介して前記本体部に固定されており、前記光源部側固定部を有する固定部材と前記反射部側固定部を有する固定部材とが一体化しており、一体化した前記光源部側固定部を有する固定部材および前記反射部側固定部を有する固定部材が、締結部材によって前記本体部に締結されている。
【００１７】
そして、複数の照明装置のうちの１つの照明装置における前記一方側の端子台と、複数の照明装置のうちの他の１つの照明装置における前記他方側の端子台とが、一本の前記配線によって電気的に接続されている。
【発明の効果】
【００１８】
本開示によれば、照射精度が低下してしまうのを抑制することのできる照明装置および照明装置の結線構造を得ることができる。
【図面の簡単な説明】
【００１９】
【図１】本実施形態にかかる照明装置を道路に設置した状態を模式的に示す斜視図である。
【図２】本実施形態にかかる照明装置と車両との関係を模式的に示す説明図である。
【図３】本実施形態にかかる照明装置を模式的に示す斜視図である。
【図４】本実施形態にかかる照明装置を示す図であって、（ａ）は平面図、（ｂ）は正面図、（ｃ）は側面図、（ｄ）は裏面図である。
【図５】本実施形態にかかる照明装置の断面図である。
【図６】本実施形態にかかるランプを示す図であって、（ａ）は平面図、（ｂ）は縦断面図、（ｃ）はカバーを外した状態を説明する平面図である。
【図７】本実施形態にかかるランプの横断面図である。
【図８】本実施形態にかかるランプおよび反射部を固定部材に固定した状態を模式的に示す斜視図である。
【図９】本実施形態にかかる照明装置の回動状態を模式的に示す側面図である。
【発明を実施するための形態】
【００２０】
以下、本実施にかかる照明装置について、図面を参照しながら詳細に説明する。なお、以下では、照明装置として、道路の側部に設けられた高欄の上面等に設置される低位置照明装置を例示するとともに、光源としてＬＥＤ光源を用いたものを例示する。
【００２１】
本実施形態にかかる照明装置１は、図１および図２に示すように、道路８０の側部に設けられた高欄８２の上面８２ａに設置されており、道路８０の路面８１を照射することで、夜間等における車両９０の走行を支援するものである。
【００２２】
なお、図１および図２には、道路８０として、４つの車線８１ａを有する４車線（片側２車線）の自動車専用道路（高速道路等）を例示している。
【００２３】
道路８０の路面８１は、図１および図２に示すように、車両９０が走行する帯状の車線８１ａと、端側の車線８１の側方に設けられた路肩８１ｂと、車線８１ａを往復方向別に分離する中央帯８１ｃと、で構成されている。
【００２４】
図１では、端側（図１の左側）の車線８１ａと路肩８１ｂとを左側の白線実線により区画しており、中央側（図１の右側）の車線８１ａと中央帯８１ｃとを右側の白線実線により区画している。また、片側の２つの車線８１ａ，８１ａを白線破線によって区画している。
【００２５】
また、中央帯８１ｃは、縁石８１ｅが設けられた分離帯８１ｄと、分離帯８１ｄの両側に設けられた側帯８１ｆと、を有しており、縁石８１ｅには対向車線側の車両の進入等を抑制するガードレール８１ｇが形成されている。
【００２６】
さらに、道路８０の側部には、高欄８２および遮音壁８３が、道路８０の延伸方向に沿って形成されている。高欄８２は、例えば、コンクリートを用いて形成することができ、この高欄８２によって、路肩８１ｂの車線８１ａ側とは反対側が区画されている。
【００２７】
そして、高欄８２の上面８２ａには、複数の照明装置１が道路８０の延伸方向に沿って略等間隔に配置されている。このとき、一列に配置された複数の照明装置１がケーブル（配線）６１により互いに接続されており、このケーブル（配線）６１を介して電力が各照明装置１に外部から供給されるようになっている。
【００２８】
本実施形態では、照明装置１は、水平方向に細長い略直方体状の本体部１０を有しており、この本体部１０の内部には、光源部２１および反射部３０が配置されている（図５参照）。そして、光源部２１から出射した光Ｌ１は、反射部３０にて反射されて、本体部１０に形成された貫通穴（窓部）１２を介して外部に照射されるようになっている。
【００２９】
したがって、本実施形態では、本体部１０の長手方向を道路８０の延伸方向に略一致させるとともに、貫通穴（窓部）１２を道路８０側に向けた状態で、各照明装置１を高欄８２の上面８２ａに設置している。そして、各照明装置１の貫通穴（窓部）１２を介して照射された光Ｌ１によって道路８０の路面８１が照射されるようにしている。
【００３０】
このとき、各照明装置１は、道路８０の路面８１における片側の車線８１ａ（各照明装置１と中央帯８１ｃとの間に存在する２つの車線８１ａ）の幅方向における全領域を照明できるような範囲ｉに光Ｌ１を出射できるようにするのが好ましい（図２参照）。
【００３１】
また、各照明装置１を、道路８０を走行する小型車の平均的な運転手の目線の高さｈより低い高さｇの位置に設置するのが好ましい。高さｈとしては、例えば、１．２ｍとすることができ、高さｇとしては、例えば、１．１ｍ程度とすることができる。
【００３２】
そして、路面８１から各照明装置１の上面までの高さｇを、道路８０を走行する小型車の平均的な運転手の目線の高さｈよりも低くした上で、光Ｌ１を水平よりも高く進行させないようにするのが好ましい。こうすれば、光Ｌ１が道路８０を走行する車両９０の運転手の目に到達してしまうのを抑制することができるようになる。
【００３３】
なお、図１および図２に示す道路８０の構造は一例に過ぎず、他の構造をした道路に照明装置１を設置することも可能である。また、高欄８２の上面８２ａに照明装置１を設置させる必要はなく、照明装置１の設置場所は、道路の構造に応じて適宜決定することができる。
【００３４】
次に、本実施形態にかかる照明装置１の具体的な構成について、図３〜図９を用いて説明する。
【００３５】
照明装置１は、図３に示すように、略直方体状をした本体部１０と、本体部１０を高欄８２の上面８２ａ等に設置するための設置部５０と、を備えている。
【００３６】
本体部１０は、外郭を構成するハウジング１１を有しており、このハウジング１１は、例えば、アルミニウム等を含む金属材料を用いて形成することができる。
【００３７】
本実施形態では、ハウジング１１は、水平方向に細長い形状をしており、高欄８２に設置した際に道路８０側に配置される前壁１１ａと、水平方向に細長い形状をしており、高欄８２に設置した際に道路８０とは反対側に配置される後壁１１ｂと、を備えている。また、前壁１１ａおよび後壁１１ｂの長手方向の両側には、前壁１１ａと後壁１１ｂとを連結する側壁１１ｃ，１１ｃが、それぞれ設けられている。そして、前壁１１ａおよび後壁１１ｂの上端には、前壁１１ａと後壁１１ｂとを連結する天壁１１ｄが設けられており、前壁１１ａおよび後壁１１ｂの下端には、前壁１１ａと後壁１１ｂとを連結する底壁１１ｅが設けられている。
【００３８】
このように、ハウジング１１は、長手方向を有する中空の直方体状に形成されており、道路８０の延伸方向に沿う長さａと、道路８０に対する水平方向の奥行きｂと、高さｃと、を有している。このハウジング１１の各寸法は、例えば、長さａを１．３ｍ、奥行きｂを１０ｃｍ、高さｃを２２ｃｍ程度とすることができる。
【００３９】
そして、ハウジング１１によって画成された本体部１０の内部には、光源部２１および反射部３０が配置されている。さらに、本体部１０の内部には、端子台７１および電源部７２等の電子部品が配置されている。
【００４０】
また、ハウジング１１の正面、すなわち、ハウジング１１の前壁１１ａには、前後方向に貫通する貫通穴（窓部）１２が形成されている。本実施形態では、この貫通穴（窓部）１２は、水平方向に細長い長方形状をしており、輪郭形状が水平方向に細長い長方形の縁となる前壁１１ａの中央に形成されている。すなわち、ハウジング１１の前壁１１ａの形状は、水平方向に細長い長方形の枠状をしている。
【００４１】
さらに、本実施形態では、前壁１１ａに形成された貫通穴（窓部）１２が、光源部２１から出射した光Ｌ１を透過可能な透過板１３によって閉塞されるようにしている。
【００４２】
透過板１３は、透明な平板であり、貫通穴（窓部）１２よりも一回り大きい長方形状をしている。この透過板１３は、例えば、ガラス、樹脂材料等を用いて形成することができる。
【００４３】
そして、透過板１３の周縁部を、前壁１１ａにおける貫通孔（窓部）１２の周縁領域に外側（前側）から接触させることで、貫通穴（窓部）１２が透過板１３によって閉塞されるようにしている。
【００４４】
さらに、透過板１３は、ヒンジ１７によってハウジング１１に回動可能に取り付けられており、透過板１３をハウジング１１から取り外すことなく、貫通穴（窓部）１２の開閉を行えるようにしている。
【００４５】
本実施形態では、図４（ｂ）に示すように、複数（本実施形態では３つ）のヒンジ１７を用い、透過板１３の上部をハウジング１１の正面の上部（前壁１１ａの上部）に取り付けることで、透過板１３をハウジング１１に回動可能に取り付けている。このとき、各ヒンジ１７は、一方がねじ１７ａによってハウジング１１の前壁１１ａに固定され、他方がねじ１７ｂによって透過板１３の上部に固定されている。
【００４６】
かかる構成とすることで、透過板１３をヒンジ１７を中心として外側（前側）に回動させた際には、透過板１３の下部が前方かつ上方に移動し、透過板１３による貫通穴（窓部）１２の閉塞が解除されて、貫通穴（窓部）１２が開かれることとなる。
【００４７】
このように、本実施形態では、透過板１３を、照明装置１の設置時の結線作業や照明装置１の保守管理等を行う際に、貫通穴（窓部）１２を開閉するための蓋として機能させている。
【００４８】
また、本実施形態では、透過板１３が貫通穴（窓部）１２を閉塞した状態で、透過板１３の下部を、複数（本実施形態では３つ）の固定板１８によってハウジング１１の正面の下部（前壁１１ａの下部）に固定している。具体的には、各固定板１８の下部をねじ１８ａによってハウジング１１の前壁１１ａの下部に固定し、各固定板１８の上部をねじ１８ｂによって透過板１３の下部に固定することで、透過板１３の下部をハウジング１１の正面の下部に固定している。
【００４９】
このように、貫通穴（窓部）１２を閉塞した状態で、透過板１３の下部をハウジング１１の下部正面に固定することで、透過板１３の意図せぬ回動（貫通穴１２が開かれてしまうこと）を抑制できるようにしている。なお、ねじ１８ａを取り外し、各固定板１８の下部と前壁１１ａの下部との固定を解除した状態で、透過板１３を回動させれば、貫通穴（窓部）１２を開くことができる。
【００５０】
また、前壁１１ａにおける貫通穴（窓部）１２の周縁部には段部１４が形成されており、この段部１４には防塵用のパッキン１５が形成されている。
【００５１】
また、透過板１３には、光Ｌ１の透過を遮断する遮光部１６が形成されている。本実施形態では、図５に示すように、上側遮光板１６ａを透過板１３の上部に内側（後側）から取り付けるとともに、下側遮光板１６ｂを透過板１３の下部に内側（後側）から取り付けることで、遮光部１６を形成している。上側遮光板１６ａおよび下側遮光板１６ｂは、水平方向に延在する帯状をしており、例えば、アルミニウム等を含む金属材料の表面に黒ツヤ消し塗装を施すことで形成することができる。なお、上側遮光板１６ａはねじ１６ｃによって、下側遮光板１６ｂはねじ１６ｄによって透過板１３に取り付けられている。
【００５２】
そして、本実施形態では、上述した光源部２１が、発光ダイオード（ＬＥＤ）ユニットとしてのランプ２０に組み込まれている。
【００５３】
ランプ２０は、図６（ａ）〜（ｃ）および図７に示すように、略四角柱状をしており、道路８０の延伸方向に沿う長さｄと、奥行きｅと、高さｆと、を有している。このランプ２０の各寸法は、例えば、長さｄを５６ｃｍ、奥行きｅを３ｃｍ、高さｆを１．８ｃｍ程度とすることができる。
【００５４】
また、本実施形態では、ランプ２０は、光源部２１と、放熱部材２２と、絶縁部材２３と、取付部材２４と、反射部材２５と、カバー２６と、を備えている。
【００５５】
光源部２１は、一方向に延伸する矩形平板状の実装基板２１ａと、発光部２１ｂと、コネクタ２１ｃと、を備えている。
【００５６】
発光部２１ｂは、例えば、実装基板２１ａの表面の中央部に、実装基板２１ａの延伸方向に沿って等間隔に配列される複数のＬＥＤと、複数のＬＥＤを封止する封止材と、で構成することができる。封止材は、例えば、蛍光体が混合された樹脂材料等を用いて形成することができる。なお、封止材を用いずに発光部２１ｂを形成することも可能である。
【００５７】
コネクタ２１ｃは、実装基板２１ａの表面に形成された配線パターンを介して発光部２１ｂの複数のＬＥＤに電気的に接続されるとともに、本体部１０の内部に配置された電源部７２に電気的に接続されている。
【００５８】
そして、電源部７２に接続されたコネクタ２１ｃを介して複数のＬＥＤに電源を供給することで、複数のＬＥＤを発光させて封止材の蛍光体を励起し、光源部２１から、例えば白色の光を出射するようにしている。
【００５９】
放熱部材２２は、ほぼ一方向に延伸する平板状をしている。この放熱部材２２は、アルミニウム等の比較的高い熱度伝導率を有する金属材料を用いて形成することができる。この放熱部材２２は、表面に光源部２１が設置されており、光源部２１により発生した熱を放散する機能を有している。また、放熱部材２２の裏面側には取付部材２４が設置されており、この放熱部材２２は、光源部２１や取付部材２４を設置する基体としての機能も有している。
【００６０】
絶縁部材２３は、主として光源部２１と放熱部材２２との間に配置されており、この絶縁部材２３によって光源部２１の配線と放熱部材２２とが絶縁されている。絶縁部材２３は、例えば、絶縁性を有する合成樹脂材料等を用いて形成することができる。なお、絶縁部材２３は、光源部２１の裏面の中央部において、光源部２１と放熱部材２２とが接触するように、一部開口している。
【００６１】
取付部材２４は、ランプ２０を他に取り付けるための取付機構を有している。
【００６２】
反射部材２５は、延伸方向における光源部２１の両端側に位置している。この反射部材２５は、光源部２１から離れるほど光源部２１の表面から見た高さが高くなるように傾斜しており、光源部２１から出射される光を光源部２１の表面側に向けて反射させる機能を有している。
【００６３】
カバー２６は、光源部２１、放熱部材２２、絶縁部材２３、取付部材２４および反射部材２５を収容可能なように、１つの側面が開口された略四角柱状をしている。このカバー２６は、例えば、光透過性および絶縁性を有する合成樹脂材料を用いて形成することができる。そして、カバー２６は、放熱部材２２に形成された複数のフック（図示せず）により、放熱部材２２に対して固定されている。
【００６４】
反射部３０は、光源部２１からの光Ｌ１を反射させて、反射させた光Ｌ１を、透過板１３（貫通穴１２）を介して本体部１０の外部に向けて照射させるものであり、本体部１０の内部に配置されている（図５参照）。
【００６５】
本実施形態では、反射部３０は、図８に示すように、反射面３１ａが形成される反射板３１を有しており、この反射板３１は、水平方向に細長い長方形状の板を湾曲させた形状をしている。すなわち、反射板３１には、長手方向と直交する方向に凸となる湾曲部３１ｄが形成されており、この湾曲部３１ｄの凹面が反射面３１ａとなっている。さらに、本実施形態では、湾曲部３１ｄは、長手方向と直交する断面形状が放物線等の曲線をなすように形成されている。
【００６６】
そして、反射部３０は、照明装置１を高欄８２の上面８２ａに設置した際に、反射板３１の長手方向が道路８０の延伸方向に略一致するとともに、反射面３１ａが道路８０側を向くように、本体部１０の内部に取り付けられている。すなわち、反射板３１は、湾曲部３１ｄの凹面（反射面３１ａ）が前面を、湾曲部３１ｄの凸面３１ｂが後面を向くように、本体部１０の内部に取り付けられている。
【００６７】
また、反射部３０は、一対のエンド板３２，３２を備えており、反射板３１の長手方向の両端が一対のエンド板３２，３２に固定されている。このように、エンド板３２，３２によって反射面３１ａの長手方向両端を固定することで、反射面３１ａの長手方向両端の変形を抑制できるようにし、反射面３１ａの長手方向両端における歪みの発生が抑制されるようにしている。
【００６８】
一対のエンド板３２，３２には、反射板３１の長手方向の端部の少なくとも一部が挿入される溝部３２ａが形成されている。本実施形態では、一対のエンド板３２，３２に、湾曲部３１ｄの端面３１ｃの形状に対応する形状をした湾曲溝３２ｂをそれぞれ形成している。このような湾曲溝３２ｂは、例えば、エンド板３２にレーザー加工を施すことで形成することができる。
【００６９】
そして、この湾曲溝３２ｂに湾曲部３１ｄの長手方向の端部の全体を挿入させて、溶接等を行うことで、反射板３１の長手方向の端部を一対のエンド板３２，３２にそれぞれ固定している。
【００７０】
このように、湾曲溝３２ｂに湾曲部３１ｄの長手方向の端部の全体を挿入させることで、反射面３１ａの長手方向両端の変形をより確実に抑制できるようになって、反射面３１ａの長手方向両端における歪みの発生をより確実に抑制できるようになる。その結果、照明装置１の照射精度が低下してしまうのをより確実に抑制することができるようになる。
【００７１】
なお、本実施形態では、溝部３２ａの全体が、湾曲部３１ｄの端面３１ｃの形状に対応する形状をしており、湾曲部３１ｄの長手方向の端部の全体が挿入される湾曲溝３２ｂとなっているが、溝部３２ａの形状は、これに限るものではない。例えば、溝部３２ａの一部が、湾曲部３１ｄの長手方向の端部の全体が挿入される湾曲溝３２ｂとなるように、溝部３２ａを形成してもよい。
【００７２】
また、反射板３１の長手方向の端部（例えば、湾曲部３１ｄの端面３１ｃ等）に、複数の爪部を形成するとともに、各爪部に対応するスリットをエンド板３２に設け、爪部をスリットに挿入させた状態で、当該爪部を折り曲げることで、反射板３１をエンド板３２に固定させるようにしてもよい。
【００７３】
そして、反射部３０および光源部２１（ランプ２０）は、固定部材４０を介してハウジング１１に取り付けられている。
【００７４】
ここで、本実施形態では、光源部２１および反射部３０を１枚の固定部材４０に固定し、光源部２１および反射部３０が固定された固定部材４０をハウジング１１に取り付けることで、光源部２１および反射部３０がハウジング１１に固定されるようにしている。すなわち、反射部３０をハウジング１１に固定する固定部材としての機能と、光源部２１をハウジング１１に固定する固定部材としての機能と、を１枚の固定部材４０に持たせている。
【００７５】
この固定部材４０は、例えば、１枚の金属板を屈曲および湾曲させることで形成することができ、光源部２１（ランプ２０）が固定される光源部側固定部４１と、反射部３０が固定される反射部側固定部４２と、を備えている。
【００７６】
光源部側固定部４１は、下面に光源部２１（ランプ２０）が固定される光源部側固定部本体４１ａと、光源部側固定部本体４１ａの前端から上方に向けて立設された光源部側垂直片４１ｂと、を備えている。
【００７７】
一方、反射部側固定部４２は、光源部側固定部本体４１ａの後端に連設されて、反射板３１を背面側（凸面３１ｂ側）から支持する反射部側固定部本体４２ａと、反射部側固定部本体４２ａの前端から下方に向けて垂設された反射部側垂直片４２ｂと、を備えている。
【００７８】
そして、ランプ２０を、取付部材２４に設けられた取付機構によって光源部側固定部本体４１ａの下面に固定するとともに、反射部３０の反射板３１を、ねじ４２ｃを用いて反射部側固定部本体４２ａに固定している。こうすることで、光源部２１および反射部３０が、固定部材４０によって一体化されることとなる。
【００７９】
このように、光源部２１および反射部３０を固定部材４０によって一体化する（ユニット化する）ことで、一体化した固定部材４０をハウジング１１に取り付けるだけで、光源部２１および反射部３０を、本体部１０の内部の所望の位置に固定することができるようになる。
【００８０】
具体的には、光源部側垂直片４１ｂを、ハウジング１１の天壁１１ｄに形成された上側ブラケット４３にねじ４３ａを用いて固定することで、一体化した固定部材４０をハウジング１１の天壁１１ｄに固定している（図５参照）。
【００８１】
そして、反射部側垂直片４２ｂを、ハウジング１１の底壁１１ｅに形成された下側ブラケット４４にねじ４４ａを用いて固定することで、一体化した固定部材４０をハウジング１１の底壁１１ｅに固定している（図５参照）。
【００８２】
なお、一対のエンド板３２，３２も、ブラケット等を介してハウジング１１に固定されるようにするのが好ましい。
【００８３】
また、本実施形態では、図５に示すように、光源部側固定部本体４１ａを後方かつ上方に傾斜させているため、ランプ２０は、光Ｌ１の出射方向が後側（背面側）の下方を向くように固定されている。
【００８４】
そして、このランプ２０の下方には、反射板３１が、反射面３１ａがランプ２０と対向するように配置されている。したがって、光源部２１から出射する光Ｌ１は、反射板３１に向けて出射されることとなり、反射板３１の反射面３１ａで反射した光Ｌ１が、透過板１３（貫通穴１２）を介して本体部１０の外方（正面方向の道路の路面）に向けて照射されることとなる。
【００８５】
設置部５０は、ハウジング１１の下面に取り付けられる略Ｌ字状の設置具５１と、設置具５１に連結され、高欄８２の上面８２ａ等に固定される略Ｌ字状の設置台５２と、を備えている（図３および図４参照）。この設置具５１および設置台５２は、例えば、金属板を直角に屈曲させることで形成することができる。
【００８６】
そして、設置具５１の水平方向に延在する部位が、ねじ５１ａにより、ハウジング１１の下面における長手方向の両端側に固定されている。
【００８７】
また、設置具５１および設置台５２のそれぞれの垂直方向に延在する部位が、２種類のねじ５２ａ，５２ｂにより、互いに固定されている。
【００８８】
そして、設置台５２の水平方向に延在する部位が、ねじ５２ｃにより、例えば高欄８２の上面８２ａに固定されている。
【００８９】
このように、設置具５１および設置台５２を互いに固定し、設置具５１をハウジング１１に固定するとともに、設置台５２を高欄８２の上面８２ａに固定することで、照明装置１が高欄８２に設置される。
【００９０】
なお、本実施形態では、ねじ５２ｂをねじ５２ａの上方に配置するとともに、ねじ５２ａを中心とする円弧状となるように、ねじ５２ｂを通すための貫通孔を形成している。このとき、ねじ５２ｂを通すための貫通孔は、ねじ５２ｂに対して余裕を持って形成するのが好ましい。
【００９１】
こうすることで、照明装置１を設置した状態で、ねじ５２ａを通り、道路８０の延伸方向に沿う回転軸に対して所定の範囲（水平方向に対して上方に角度θ、下方に角度θの範囲）で、本体部１０を回動させることができるようになる（図９参照）。なお、角度θは、例えば５°程度とすることができる。
【００９２】
このように、本実施形態では、高欄８２の上面８２ａに設置した照明装置１の姿勢を調整することで、照明装置１による道路８０の路面８１への照射範囲を調整することができるようになっている。
【００９３】
また、本実施形態では、上述したように、複数の照明装置１が一列に配置されており、互いに隣り合う照明装置１が１本のケーブル（配線）６１によって互いに接続されている。
【００９４】
本実施形態では、互いに隣り合う照明装置１に設けられている端子台７１に、１本のケーブル（配線）６１の端部６１ａをそれぞれ接続（結線）させている。こうすることで、各照明装置１に設けられている端子台７１がケーブル（配線）６１を介して電気的に接続されて、各照明装置１に外部から電力を供給できるようになる。
【００９５】
ここで、本実施形態では、各照明装置１に設けられた端子台７１へのケーブル（配線）６１の接続（結線）作業を、反射板３０を取り外すことなく行えるようにしている。
【００９６】
具体的には、反射部３０をハウジング１１に固定した状態で、本体部１０を正面から視た際に、貫通穴（窓部）１２の領域内における反射部３０から外れた位置に端子台７１を設けるようにしている。
【００９７】
すなわち、透過板１３をヒンジ１７を中心として外側（前側）に回動させて、貫通穴（窓部）１２を開いた際に、正面視で端子台７１を視認できるようにしている。
【００９８】
こうすることで、反射板３０を取り外さずに、端子台７１へのケーブル（配線）６１の接続（結線）作業を行えるようにしている。
【００９９】
さらに、本実施形態では、１つの照明装置１に２つの端子台７１を設けている。具体的には、本体部１０の長手方向の一方側における反射部３０から外れた位置に１つの端子台７１を設けている。一方、本体部１０の長手方向の他方側における反射部３０から外れた位置に他の端子台７１を設けている。
【０１００】
そして、長手方向の一方側の端子台７１と長手方向の他方側の端子台７１とを接続用配線（送り配線）６３によって電気的に接続している。本実施形態では、接続用配線６３が反射板３１の裏側（後側）を通っており、かかる状態で、両端６３ａ，６３ａがそれぞれ一方側の端子台７１および他方側の端子台７１に電気的に接続されている。すなわち、接続用配線６３は、端子台７１に接続される端部６３ａを除くほとんどの部分が反射板３１の裏側に配置されている。
【０１０１】
また、図４（ａ）に示すように、少なくとも一方の端子台７１と電源部７２とが配線６４を介して電気的に接続されている。したがって、複数のＬＥＤには、ケーブル（配線）６１、端子台７１、電源部７２およびコネクタ２１ｃを介して外部電源から電源が供給されることとなる。
【０１０２】
なお、一方側の端子台７１および他方側の端子台７１への接続用配線６３の接続（結線）は、反射板３０をハウジング１１に固定する前に予め行っておくのが好ましい。
【０１０３】
かかる構成とすることで、各照明装置１に設けられた端子台７１へのケーブル（配線）６１の接続（結線）は、例えば、以下のようにして行うことができる。
【０１０４】
まず、高欄８２の上面８２ａに複数の照明装置１を所望の間隔で設置する。
【０１０５】
次に、ねじ１８ａを取り外し、各固定板１８の下部と前壁１１ａの下部との固定を解除した状態で、透過板１３を回動させて、貫通穴（窓部）１２を開く。
【０１０６】
次に、ハウジング１１の側壁１１ｃに形成されたケーブル挿通部６２にケーブル（配線）６１の端部６１ａを引き入れる。
【０１０７】
次に、ケーブル（配線）６１の端部６１ａを端子台７１に接続する。なお、ケーブル（配線）６１の端部６１ａの本体部１０の内部への引き入れ、および、ケーブル（配線）６１の端部６１ａの端子台７１への結線を、長手方向両側のいずれか一方で行った後に、他方で行うようにしてもよい。また、ケーブル（配線）６１の端部６１ａの本体部１０の内部への引き入れを、長手方向の両側で行った後に、ケーブル（配線）６１の端部６１ａの端子台７１への結線を、長手方向の両側で行うようにしてもよい。
【０１０８】
そして、ケーブル（配線）６１の端部６１ａの端子台７１への結線を、長手方向の両側で行った後に、貫通穴（窓部）１２を透過板１３で閉塞し、ねじ１８ａによって、各固定板１８の下部と前壁１１ａの下部とを固定する。
【０１０９】
このとき、長手方向の他方側の端子台７１に結線されるケーブル（配線）６１は、長手方向の一方側の端子台７１に結線されるケーブル（配線）６１とは別のものになっている。
【０１１０】
そして、上記作業を行った照明装置（複数の照明装置のうちの１つの照明装置）１における一方側の端子台に結線されたケーブル（配線）６１の他端６１ａは、当該照明装置１の一方側で隣り合う照明装置（複数の照明装置のうちの他の１つの照明装置）１における他方側の端子台７１に接続させることができる。こうすれば、複数の照明装置のうちの１つの照明装置１における一方側の端子台７１と、複数の照明装置のうちの他の１つの照明装置１における他方側の端子台７１とが、一本のケーブル（配線）６１によって電気的に接続されることとなる。なお、当該ケーブル（配線）６１の他端６１ａを外部電源に接続させることも可能である。
【０１１１】
さらに、上記作業を行った照明装置（複数の照明装置のうちの１つの照明装置）１における他方側の端子台に結線されたケーブル（配線）６１の他端６１ａは、当該照明装置１の他方側で隣り合う照明装置（複数の照明装置のうちの他の１つの照明装置とは別の照明装置）１における一方側の端子台７１に接続させることができる。こうすれば、複数の照明装置のうちの１つの照明装置１における他方側の端子台７１が、複数の照明装置のうちの他の１つの照明装置とは別の照明装置１における一方側の端子台７１に、他の一本のケーブル（配線）６１によって電気的に接続されることとなる。なお、当該ケーブル（配線）６１の他端６１ａを外部電源に接続させることも可能である。
【０１１２】
また、上記の方法は、一例に過ぎず、他の方法を用いて、各照明装置１に設けられた端子台７１へのケーブル（配線）６１の接続（結線）を行うことも可能である。
【０１１３】
例えば、以下の方法とすることも可能である。
【０１１４】
まず、互いに隣り合う２つの照明装置１のうち、一方の照明装置１の相手側に近い側に設けられた端子台７１にケーブル（配線）６１の端部６１ａを接続する。その後、当該ケーブル（配線）６１の他方側の端部６１ａをケーブル挿通部６２に内側から挿入して外部に引き出し、他方の照明装置１の本体部１０の内部に、ケーブル（配線）６１の他方側の端部６１ａを引き入れる。そして、他方の照明装置１の一方の照明装置１の側に設けられた端子台７１にケーブル（配線）６１の他方側の端部６１ａを接続する。
【０１１５】
以上説明したように、本実施形態にかかる照明装置１は、貫通穴（窓部）１２を有する本体部１０と、本体部１０内に配置される光源部２１と、を備えている。また、照明装置１は、本体部１０内に配置され、光源部２１からの光Ｌ１を反射させて、反射させた光を窓部１２を介して本体部１０の外部に向けて照射する反射部３０を備えている。さらに、照明装置１は、本体部１０内に配置され、本体部１０の外部から引き入れられる配線６１の一端６１ａが電気的に接続される端子台７１を備えている。
【０１１６】
そして、端子台７１は、反射部３０が本体部１０内に配置された状態で、本体部１０を窓部１２側から視た際に、窓部１２の領域内における反射部３０から外れた位置に配置されている。
【０１１７】
こうすれば、照明装置１に設けられた端子台７１へのケーブル（配線）６１の接続（結線）作業を、反射板３０を取り外すことなく行うことができるようになる。したがって、照明装置１の設置作業を行うことで、反射板３０と光源部２１とが位置ずれしてしまったり、反射板３０が変形してしまったりするのを抑制することができる。その結果、照明装置１の照射精度が低下してしまうのを抑制することができるようになる。
【０１１８】
このように、本実施形態によれば、照射精度が低下してしまうのを抑制することのできる照明装置１および照明装置１の結線構造を得ることができる。
【０１１９】
また、端子台７１を正面視で反射部３０から外れた位置に配置することで、反射部の裏側に端子台７１やケーブル（配線）６１の設置スペースを設ける必要がなくなるため、照明装置１の厚さを薄くすることが可能となる。その結果、外側に幅狭の高欄しか設けることのできない道路等にも、照明装置１を設置することが可能となる。
【０１２０】
また、本実施形態では、長手方向を有する細長の貫通穴１２を窓部とし、端子台７１を、長手方向の一方側における反射部３０から外れた位置に配置している。
【０１２１】
こうすれば、照明装置１の高さを極力低くすることが可能となって、野外等に設置した際に照明装置１が風等の影響を受けてしまうのを抑制することができる。すなわち、照明装置１を、道路等の野外に、より安定した状態で設置することができるようになる。
【０１２２】
また、本実施形態では、長手方向の他方側における反射部３０から外れた位置にも端子台７１が配置されており、長手方向の一方側の端子台７１と長手方向の他方側の端子台７１とが接続用配線６３によって電気的に接続されている。
【０１２３】
こうすれば、各照明装置において、長手方向の一方側の端子台７１および長手方向の他方側の端子台７１にケーブル（配線）６１をそれぞれ接続するだけで、互いに隣り合う照明装置１同士を結線させることが可能となる。したがって、照明装置１同士の結線作業をより容易に行うことができるようになる。
【０１２４】
また、本実施形態では、光源部２１が、光源部側固定部４１を有する固定部材４０を介して本体部１０に固定されており、反射部３０が、反射部側固定部４２を有する固定部材４０を介して本体部１０に固定されている。
【０１２５】
そして、光源部側固定部４１を有する固定部材４０と反射部側固定部４２を有する固定部材４０とを一体化させている。
【０１２６】
その結果、反射板３１（反射部３０）と光源部２１とが位置ずれしてしまうのを、より確実に抑制することができ、照明装置１の照射精度が低下してしまうのを、より確実に抑制することができるようになる。
【０１２７】
以上、本開示の好適な実施形態について説明したが、上記実施形態には限定されず、種々の変形が可能である。
【０１２８】
例えば、上記実施形態では、照明装置として、道路の側部に設けられた高欄の上面等に設置される低位置照明装置を例示したが、これに限定されるものではない。
【０１２９】
また、上記実施形態では、ＬＥＤを光源として用いたものを例示したが、半導体光源等を用いることも可能である。
【０１３０】
また、光源部や反射部、その他細部のスペック（形状、大きさ、レイアウト等）も適宜に変更可能である。
【符号の説明】
【０１３１】
１  照明装置
１０  本体部
１２  貫通穴（窓部）
５０  設置部
２１  光源部
３０  反射部
４０  固定部材
４１  光源部側固定部
４２    反射部側固定部
６１  ケーブル（配線）
６１ａ  端部
６３  接続用配線
７１  端子台
【図１】
0006635373.tif 000002
【図２】
0006635373.tif 000003
【図３】
0006635373.tif 000004
【図４】
0006635373.tif 000005
【図５】
0006635373.tif 000006
【図６】
0006635373.tif 000007
【図７】
0006635373.tif 000008
【図８】
0006635373.tif 000009
【図９】
0006635373.tif 000010